【手続補正書】
【提出日】平成20年12月2日(2008.12.2)
【手続補正１】
【補正対象書類名】特許請求の範囲
【補正対象項目名】全文
【補正方法】変更
【補正の内容】
【特許請求の範囲】
【請求項１】
複数のアクセスネットワーク（１０４，１０５）を備えている異種モバイルネットワークのコンテキスト転送マネージャ（３０２，３０３）において実行されるコンテキスト転送の方法であって、
ａ）モバイルノード（１０１）に関連するコンテキスト情報を、第１のアクセスネットワーク（１０４）における少なくとも１つのソースエンティティ（１０２，４０１）から集めるステップ（Ｓ４０５，Ｓ５０４）と、
ｂ）前記集めたコンテキスト情報を、第２のアクセスネットワーク（１０５）におけるコンテキスト転送マネージャ（３０３）に送信するステップ（Ｓ４０６，Ｓ５０５）と、
ｃ）モバイルノードに関連するコンテキスト情報を、前記第１のアクセスネットワークとは異なるアクセスネットワークにおけるコンテキスト転送マネージャから受信するステップ（Ｓ４０６，Ｓ５０５）と、
ｄ）ステップｃ）において受信した前記コンテキスト情報を、前記第１のネットワークにおける少なくとも１つのターゲットエンティティに転送するステップ（Ｓ４０７，Ｓ５０６）と、
ｅ）ステップｂ）の前、もしくはステップｃ）の後、またはその両方において、前記コンテキスト情報の少なくとも一部を、前記第１のアクセスネットワークにおいてサポートされているフォーマットから、他方のアクセスネットワークにおいてサポートされている別のフォーマットに変換するステップ（Ｓ４１２）と、
を含んでいる、方法。
【請求項２】
ステップｅ）がステップｂ）の前に実行され、
ステップｅ）の前において、サポートされているコンテキスト情報のフォーマットについての情報を、前記第２のアクセスネットワークにおける前記コンテキスト転送マネージャから取得するステップ（Ｓ４００）、
をさらに含んでいる、請求項１に記載の方法。
【請求項３】
ステップｂ）およびステップｃ）において、前記コンテキストが、前記コンテキスト転送マネージャ間のセキュリティアソシエーションを使用して転送され、前記セキュリティアソシエーションが前記コンテキスト転送マネージャの認証を含んでおり、
モバイルノードによって単位時間あたりに受信された、アクセスポイントからのブロードキャストメッセージであって、前記アクセスポイントのアイデンティティについての情報を含んでいるブロードキャストメッセージの数についての情報を集めるステップと、
前記第２のアクセスネットワークにおけるアクセスポイントから受信されたブロードキャストメッセージの前記数が所定のしきい値を超えている場合、前記第２のアクセスネットワークの前記コンテキスト転送マネージャへのセキュリティアソシエーションを確立するステップ（Ｓ７０７）と、
をさらに含んでいる、請求項１または請求項２に記載の方法。
【請求項４】
第３のネットワークにおけるアクセスポイントから前記同じモバイルノードによって受信されたブロードキャストメッセージの数が第２の上限を超える場合、前記第２のアクセスネットワークの前記コンテキスト転送マネージャへの前記確立されたセキュリティアソシエーションを取り消すステップ（Ｓ７０９）、
をさらに含んでいる、請求項３に記載の方法。
【請求項５】
コンテキスト転送プロトコル（ＣＴＰ）に定義されているメッセージを使用する、請求項１から請求項４のいずれかに記載の方法。
【請求項６】
ステップｂ）およびステップｃ）のそれぞれにおいて、前記コンテキスト情報が、少なくとも１つのターゲットエンティティのアイデンティティに関する情報をさらに含んでいるＣＴＤメッセージにおいて、１つのコンテキスト転送マネージャから別のコンテキスト転送マネージャに送られる、請求項５に記載の方法。
【請求項７】
ステップｃ）の後に、コンテキスト情報が受信された前記モバイルノードのデータ送信に関連する追加のシグナリングを開始するステップ、
をさらに含んでいる、請求項１から請求項６のいずれかに記載の方法。
【請求項８】
前記追加のシグナリングが、サービス品質（ＱｏＳ）状態の管理と、ネットワークリソースの予約と、データトンネルの確立とから成る群のうちの少なくとも１つを含んでいる、請求項７に記載の方法。
【請求項９】
命令を格納しているコンピュータ可読ストレージメディアであって、前記命令が異種モバイルネットワークにおける無線アクセスネットワークのコンテキストマネージャにおいて実行されたときに、それに起因して、前記コンテキストマネージャが、請求項１から請求項８のいずれかに記載の方法を実行する、コンピュータ可読ストレージメディア。
【請求項１０】
異種モバイルネットワークにおけるアクセスネットワークのコンテキスト転送マネージャ（９００）であって、
モバイルノード（１０１）に関連するコンテキスト情報を、第１のアクセスネットワーク（１０４）における少なくとも１つのソースエンティティ（１０２，４０１）から集める手段と、
前記集めたコンテキスト情報を、第２のアクセスネットワーク（１０５）におけるコンテキスト転送マネージャ（３０３）に送信する手段と、
モバイルノードに関連するコンテキスト情報を、前記第１のアクセスネットワークとは異なるアクセスネットワークにおけるコンテキスト転送マネージャから受信する手段と、
前記第１のアクセスネットワークとは異なる前記アクセスネットワークにおける前記コンテキスト転送マネージャから受信した前記コンテキスト情報を、前記第１のネットワークにおける少なくとも１つのターゲットエンティティに転送する手段と、
前記コンテキスト情報の少なくとも一部を、一方のアクセスネットワークにおいてサポートされているフォーマットから、他方のアクセスネットワークにおいてサポートされている別のフォーマットに変換する手段と、
を備えている、コンテキスト転送マネージャ。
【請求項１１】
複数のアクセスネットワーク（１０４，１０５）を備えている異種モバイルネットワークにおいて実行される方法であって、前記モバイルネットワークの２つの異なるアクセスネットワーク（１０４，１０５）に配置されている少なくとも２つのコンテキスト転送マネージャ（３０２，３０３）において実行される、請求項１から請求項５のいずれかに記載の方法のステップ群、を含んでおり、
ｆ）モバイルノード（１０１）から、前記第１のアクセスネットワーク（１０４）の第１のアクセスルータ（１０２）にメッセージを送るステップ（Ｓ４０３）であって、前記メッセージが、前記モバイルノードのアイデンティティに関する情報と、第２のアクセスルータ（１０３）のアイデンティティに関する情報と、転送するコンテキストのタイプに関する情報とを含んでいる、前記ステップと、
ｇ）前記コンテキスト転送マネージャによってステップａ）およびステップｂ）が実行される前、かつ、前記第２のアクセスルータ（１０３）が属している他方のアクセスネットワーク（１０５）の前記コンテキスト転送マネージャにおいてステップｃ）およびステップｄ）が実行される前に、前記第１のネットワークにおける前記アクセスルータから前記コンテキスト転送マネージャに、前記メッセージを転送するステップ（Ｓ４０４）と、
をさらに含んでいる、方法。
【請求項１２】
ステップｇ）の後のステップとして、
前記第２のアクセスルータが前記第１のアクセスネットワーク内に位置しているかを調べるステップと、
前記第２のアクセスルータが前記第１のアクセスネットワーク内に位置していないと判定される場合に、ステップａ）およびステップｂ）を実行するステップと、
前記第２のアクセスルータが前記第１のアクセスネットワーク内に位置していると判定される場合に、前記第１のネットワークの前記第１のアクセスルータから前記第２のアクセスルータへの直接的なコンテキスト転送を開始するステップと、
をさらに含んでいる、請求項１１に記載の方法。
【請求項１３】
前記モバイルノード（１０１）から、前記第２のアクセスネットワーク（１０５）における前記アクセスルータ（１０３）に、前記モバイルノードのアイデンティティに関する情報と、前記第１のアクセスネットワークの前記アクセスルータ（１０２）のアイデンティティに関する情報と、転送するコンテキストのタイプに関する情報とを含んでいるメッセージを送るステップ（Ｓ４０９）と、
前記モバイルノード（１０１）から前記第２のネットワーク（１０５）における前記アクセスルータ（１０３）に送られた前記メッセージを、前記第２のアクセスネットワークの前記コンテキスト転送マネージャ（３０３）に転送するステップ（Ｓ４１０）と、
前記コンテキストを前記第２のアクセスネットワークに組み込むステップと、
をさらに含んでいる、請求項１１または請求項１２に記載の方法。
【請求項１４】
複数のアクセスネットワークを備えている異種モバイルネットワークにおいて実行される方法であって、前記モバイルネットワークの２つの異なるアクセスネットワークに配置されている少なくとも２つのコンテキスト転送マネージャ（３０２，３０３）において実行される、請求項１から請求項５のいずれかに記載の方法のステップ群、を含んでおり、
モバイルノード（１０１）から、前記第２のアクセスネットワーク（１０５）のアクセスルータ（１０３）に、前記モバイルノードのアイデンティティに関する情報と、前記第１のアクセスネットワークにおけるアクセスルータ（１０２）のアイデンティティに関する情報と、転送するコンテキストのタイプに関する情報とを含んでいるメッセージを送るステップ（Ｓ５０１）と、
前記第２のアクセスネットワーク（１０５）における前記アクセスルータから前記コンテキスト転送マネージャ（３０３）に前記メッセージを転送するステップ（Ｓ５０２）と、
前記モバイルノードの前記アイデンティティに関する情報と、転送するコンテキストのタイプに関する情報とを含んでいるメッセージを、前記第２のアクセスネットワーク（１０５）における前記コンテキスト転送マネージャ（３０３）から、前記第１のアクセスネットワーク（１０４）における前記コンテキストマネージャ（３０２）に送り、これに起因して、ステップａ）およびステップｂ）が前記第１のアクセスネットワークの前記コンテキスト転送マネージャによって実行され、ステップｃ）およびステップｄ）が、前記第２のアクセスネットワークの前記コンテキスト転送マネージャにおいて実行されるステップ（Ｓ５０３）と、
をさらに含んでいる、方法。
【請求項１５】
少なくとも１つのモバイルノード（１０１）と、
少なくとも２つのアクセスネットワーク（１０４，１０５）であって、そのうちの少なくとも２つのそれぞれが、請求項１０に記載の少なくとも１つのコンテキスト転送マネージャ（３０２，３０３）と、少なくとも１つのアクセスルータ（１０２，１０３）と、を備えている、前記少なくとも２つのアクセスネットワークと、
を備えている、異種モバイルネットワーク。
【請求項１６】
請求項１１から請求項１３のいずれかに記載の方法を実行するように構成されている、請求項１５に記載の異種モバイルネットワーク。
【請求項１７】
複数のアクセスネットワークを備えている異種モバイルネットワークに接続するモバイルノードであって、
前記複数のアクセスネットワークの少なくとも１つのアクセスネットワークにおけるアクセスポイントから、前記アクセスポイントのアイデンティティについての情報を含んでいるブロードキャストメッセージを受信し、単位時間あたりに受信した前記アクセスポイントごとの前記ブロードキャストメッセージの数についての情報を取得する手段と、
前記アクセスポイントから受信したブロードキャストメッセージの前記数が所定の第１のしきい値を超えている場合、前記第１のしきい値を超えたアクセスポイントの属する前記アクセスネットワークのコンテキスト転送マネージャへのセキュリティアソシエーション確立を要求する手段と、
を備えているモバイルノード。
【請求項１８】
前記セキュリティアソシエーションを確立したアクセスネットワークの少なくとも１つのアクセスネットワークにおけるアクセスポイントから前記同じモバイルノードによって受信されたブロードキャストメッセージの数が第２のしきい値を超える場合、前記セキュリティアソシエーションを確立したアクセスネットワーク以外のアクセスネットワークの前記コンテキスト転送マネージャへの前記確立されたセキュリティアソシエーションの解除を要求する手段を、
をさらに含んでいる、請求項１７に記載のモバイルノード。
【請求項１９】
前記アクセスポイントに応じて異なる前記第２のしきい値を選択可能である、
請求項１８に記載のモバイルノード。